(57)【特許請求の範囲】
【請求項１】
互いに直交する前後方向及び幅方向と、
着用者の排泄口と対向する排泄口当接域と、
前記排泄口当接域よりも後側に位置する後側域と、
少なくとも前記排泄口当接域及び前記後側域に配置される吸収コアと、
前記排泄口当接域の吸収コアの外側縁よりも幅方向の外側に延出するヒップフラップと、を有する吸収性物品であって、
前記ヒップフラップは、吸収材料を有する吸収層と、前記吸収層の肌対向面側に配置される肌面シートと、前記吸収層の非肌対向面側に配置される非肌面シートと、前記吸収層と前記肌面シートのうち前記吸収層のみに設けられる複数の圧搾部と、を有し、
前記複数の圧搾部は、前記幅方向に対して平行に延び、かつ前記前後方向に間隔を空けて配置され、
前記ヒップフラップは、前記非肌面シートに設けられ、前記吸収性物品を下着に止めるためのヒップフラップ粘着領域を有しており、
前記ヒップフラップ粘着領域は、前記圧搾部と重なる領域に配置され、
前記圧搾部は、前記非肌面シートと前記吸収層のうち前記吸収層のみに設けられる、吸収性物品。
【請求項２】
互いに直交する前後方向及び幅方向と、
着用者の排泄口と対向する排泄口当接域と、
前記排泄口当接域よりも後側に位置する後側域と、
少なくとも前記排泄口当接域及び前記後側域に配置される吸収コアと、
前記排泄口当接域の吸収コアの外側縁よりも幅方向の外側に延出するヒップフラップと、を有する吸収性物品であって、
前記ヒップフラップは、吸収材料を有する吸収層と、前記吸収層の肌対向面側に配置される肌面シートと、前記吸収層の非肌対向面側に配置される非肌面シートと、前記吸収層と前記肌面シートのうち前記吸収層のみに設けられる複数の圧搾部と、を有し、
前記複数の圧搾部は、前記幅方向に対して平行に延び、かつ前記前後方向に間隔を空けて配置され、
各圧搾部は、前記吸収層の厚み方向に凹んでおり、
前記圧搾部の底部は、前記圧搾部の前後方向の中心に対して前後方向に偏倚する、吸収性物品。
【請求項３】
互いに直交する前後方向及び幅方向と、
着用者の排泄口と対向する排泄口当接域と、
前記排泄口当接域よりも後側に位置する後側域と、
少なくとも前記排泄口当接域及び前記後側域に配置される吸収コアと、
前記排泄口当接域の吸収コアの外側縁よりも幅方向の外側に延出するヒップフラップと、を有する吸収性物品であって、
前記ヒップフラップは、吸収材料を有する吸収層と、前記吸収層の肌対向面側に配置される肌面シートと、前記吸収層の非肌対向面側に配置される非肌面シートと、前記吸収層と前記肌面シートのうち前記吸収層のみに設けられる複数の圧搾部と、を有し、
前記複数の圧搾部は、前記幅方向に対して平行に延び、かつ前記前後方向に間隔を空けて配置され、
前記吸収コアは、前記排泄口当接域と前記後側域との間において前記幅方向に延びる第１低目付領域と、前記後側域において前記幅方向の中心を結ぶ中心線に沿って前記前後方向に延びる第２低目付領域と、を有し、
前記幅方向に沿う幅折り線を有し、
前記吸収コアは、前記第２低目付領域から前記幅方向の外側に延び、前記排泄口当接域の前記吸収コアの目付よりも低い目付からなる第３低目付領域を有し、
前記幅折り線は、前記第３低目付領域と、前記ヒップフラップと、に跨って設けられる、吸収性物品。
【請求項４】
前記圧搾部と前記第３低目付領域は、前記幅方向において離間している、請求項３に記載の吸収性物品。
【請求項５】
互いに直交する前後方向及び幅方向と、
着用者の排泄口と対向する排泄口当接域と、
前記排泄口当接域よりも後側に位置する後側域と、
少なくとも前記排泄口当接域及び前記後側域に配置される吸収コアと、
前記排泄口当接域の吸収コアの外側縁よりも幅方向の外側に延出するヒップフラップと、を有する吸収性物品であって、
前記ヒップフラップは、吸収材料を有する吸収層と、前記吸収層の肌対向面側に配置される肌面シートと、前記吸収層の非肌対向面側に配置される非肌面シートと、前記吸収層と前記肌面シートのうち前記吸収層のみに設けられる複数の圧搾部と、を有し、
前記複数の圧搾部は、前記幅方向に対して平行に延び、かつ前記前後方向に間隔を空けて配置され、
前記吸収コアは、前記排泄口当接域と前記後側域との間において前記幅方向に延びる第１低目付領域と、前記後側域において前記幅方向の中心を結ぶ中心線に沿って前記前後方向に延びる第２低目付領域と、を有し、
前記圧搾部の後端縁は、前記第２低目付領域の後端縁よりも後方に位置する、吸収性物品。
【請求項６】
互いに直交する前後方向及び幅方向と、
着用者の排泄口と対向する排泄口当接域と、
前記排泄口当接域よりも後側に位置する後側域と、
少なくとも前記排泄口当接域及び前記後側域に配置される吸収コアと、
前記排泄口当接域の吸収コアの外側縁よりも幅方向の外側に延出するヒップフラップと、を有する吸収性物品であって、
前記ヒップフラップは、吸収材料を有する吸収層と、前記吸収層の肌対向面側に配置される肌面シートと、前記吸収層の非肌対向面側に配置される非肌面シートと、前記吸収層と前記肌面シートのうち前記吸収層のみに設けられる複数の圧搾部と、を有し、
前記複数の圧搾部は、前記幅方向に対して平行に延び、かつ前記前後方向に間隔を空けて配置され、
前記吸収コアは、前記排泄口当接域と前記後側域との間において前記幅方向に延びる第１低目付領域と、前記後側域において前記幅方向の中心を結ぶ中心線に沿って前記前後方向に延びる第２低目付領域と、を有し、
前記非肌面シートには、前記吸収性物品を下着に止めるための粘着領域が設けられており、
前記粘着領域は、前記第１低目付領域よりも前方に位置する第１粘着領域と、前記第１低目付領域よりも後方に位置する第２粘着領域と、を有し、
前記第１粘着領域と前記第２粘着領域は、前記前後方向において離間する、吸収性物品。
【請求項７】
前記ヒップフラップは、前記前後方向に沿う前後折り線を有し、
前記前後折り線は、前記圧搾部よりも幅方向の内側に位置する、請求項１から請求項６のいずれかに記載の吸収性物品。
【発明の詳細な説明】
【技術分野】
【０００１】
本発明は、生理用ナプキン等の下着に装着する吸収性物品に関する。
【背景技術】
【０００２】
生理用ナプキンとしての吸収性物品として、ヒップフラップを有するものが知られている。特許文献１は、ヒップフラップを有する生理用ナプキンを開示している。特許文献１のヒップフラップは、吸収材料を有する吸収層と、吸収層を覆うシート材と、吸収層とシート材とに形成された複数の圧搾部と、を有する。特許文献１の複数の圧搾部は、前後方向に間隔を空けて配置されている。各圧搾部は、ヒップフラップの内側縁から幅方向外側に向かうにつれて後方から前方に延びている。すなわち、特許文献１の圧搾部は、幅方向に対して傾斜している（特許文献１の図１参照）。
【先行技術文献】
【特許文献】
【０００３】
【特許文献１】特開２００６−３４４９６号公報
【発明の概要】
【発明が解決しようとする課題】
【０００４】
特許文献１のヒップフラップには、圧搾部による曲げ基点が形成される。前後方向に隣接する圧搾部は、それぞれ幅方向に対して傾斜しており、幅方向において重なって配置されている。よって、前側に位置する曲げ基点と後側に位置する曲げ基点の両方が幅方向に沿った直線上に配置される。そのため、体の前後方向に延びる丸みに対してヒップフラップを配置する際に、前側に位置する曲げ基点と後側に位置する曲げ基点が緩衝し合い、体の丸みを帯びた形状に沿ってヒップフラップを配置できなかった。
【０００５】
また、着用者が横向きに寝た状態等、ヒップフラップの外側縁から幅方向の内側に向かう力がかかると、ヒップフラップがよれたり、折れたりすることがある。ヒップフラップがよれたり、折れたりすると、ヒップフラップによって着用者の臀部を適切に覆うことができず、後漏れが発生するおそれがあった。
【０００６】
加えて、特許文献1の圧搾部は、表面シートと吸収層が圧縮されている。そのため、表面シートの硬くなり、心地よい肌触りを得られないことがあった。
【０００７】
本発明は、上述の課題に鑑みてなされたものであり、着用者の臀部の丸みに沿って臀部を適切に覆うことができ、かつ心地よい肌触りを得ることができる吸収性物品を提供することを目的とする。
【課題を解決するための手段】
【０００８】
本開示に係る吸収性物品（吸収性物品）は、互いに直交する前後方向（前後方向Ｌ）及び幅方向（幅方向Ｗ）と、着用者の排泄口と対向する排泄口当接域（排泄口当接域Ｓ１）と、前記排泄口当接域の後側に位置する後側域（後側域Ｓ３）と、少なくとも前記排泄口当接域及び前記後側域に配置される吸収コア（吸収層３２）と、前記吸収コアの外側縁よりも幅方向の外側に延出するヒップフラップ（ヒップフラップ４）と、を有する吸収性物品であって、前記ヒップフラップは、吸収材料を有する吸収層（吸収コア３１）と、前記吸収層の肌対向面側に配置される肌面シート（サイドシート１２）と、前記吸収層の非肌対向面側に配置される非肌面シート（非肌面シート２０）と、前記吸収層と前記肌面シートのうち前記吸収層のみに設けられる複数の圧搾部（ヒップフラップ圧搾部８３）と、を有し、前記複数の圧搾部は、前記幅方向に対して平行に延び、かつ前記前後方向に間隔を空けて配置されることを要旨とする。
【発明の効果】
【０００９】
本開示によれば、着用者の臀部の丸みに沿い、かつ臀部を適切に覆うことができる吸収性物品を提供できる。
【図面の簡単な説明】
【００１０】
【図１】一実施形態における吸収性物品の平面図である。
【図２】図１とは反対側から見た吸収性物品の平面図である。
【図３】図１のＡ−Ａ線に沿った吸収性物品の模式的断面図である。
【図４】図１に示す吸収性物品の着用者に装着された状態の断面図である。
【図５】図１に示す吸収性物品の着用者に装着された状態の断面図である。
【図６】図１に示す前後折り線に沿って折り畳まれた吸収性物品の平面図である。
【図７】図１に示す幅折り線に沿って折り畳まれた吸収性物品の模式的側面図である。
【発明を実施するための形態】
【００１１】
本明細書及び添付図面の記載により、少なくとも以下の事項が明らかとなる。
【００１２】
互いに直交する前後方向及び幅方向と、
着用者の排泄口と対向する排泄口当接域と、
前記排泄口当接域よりも後側に位置する後側域と、
少なくとも前記排泄口当接域及び前記後側域に配置される吸収コアと、
前記吸収コアの外側縁よりも幅方向の外側に延出するヒップフラップと、を有する吸収性物品であって、
前記ヒップフラップは、吸収材料を有する吸収層と、前記吸収層の肌対向面側に配置される肌面シートと、前記吸収層の非肌対向面側に配置される非肌面シートと、前記吸収層と前記肌面シートのうち前記吸収層のみに設けられる複数の圧搾部と、を有し、
前記複数の圧搾部は、前記幅方向に対して平行に延び、かつ前記前後方向に間隔を空けて配置される、吸収性物品。
【００１３】
このような吸収性物品によれば、当該圧搾部が前後方向に間隔を空けて配置されているため、前後方向に間隔を空けて複数の変形基点が形成される。それぞれの圧搾部は、幅方向に対して平行に延びるため、体の前後方向に延びる丸みに対してヒップフラップを配置する際に、前側に位置する曲げ基点と後側に位置する曲げ基点が緩衝せず、体の丸みを帯びた形状に沿ってヒップフラップを配置できる。
【００１４】
また、ヒップフラップは、圧搾部が幅方向に対いて平行に延びるため、幅方向に沿う力に対して変形しにくい。具体的には、着用者が横向きに寝た状態では、ヒップフラップの外側縁から幅方向内側に向かう力がかかるが、当該力に対して圧搾部が対抗し、ヒップフラップが変形し難い。ヒップフラップの外側縁から幅方向の内側に向かう力がかかった際におけるヒップフラップのよれや折れを抑制でき、ヒップフラップによって着用者の臀部を覆い、後漏れを抑制できる。
【００１５】
加えて、肌面シートは、圧搾部を有していないため、圧搾部によって硬くならず、表面の柔らかさを維持でき、着用者が心地よい肌触りを得ることができる。ヒップフラップは、吸収層によってクッション性を有し、臀部に対して柔らかく当たり装着感が向上する。また、吸収層によってヒップフラップの変形を吸収でき、ヒップフラップのよれを防止できる。
【００１６】
かかる吸収性物品であって、
前記ヒップフラップは、前記非肌面シートに設けられ、前記吸収性物品を下着に止めるためのヒップフラップ粘着領域を有しており、
前記ヒップフラップ粘着領域は、前記圧搾部と重なる領域に配置され、
前記圧搾部は、前記非肌面シートと前記吸収層のうち前記吸収層のみに設けられることが望ましい。
【００１７】
このような吸収性物品によれば、非肌面シートに圧搾部が設けられていないため、粘着領域に厚み方向における段差が形成されにくい。よって、粘着領域全面が下着に接合し易くなる。また、下着に粘着領域が接合した状態で、着用者の体圧がヒップフラップにかかると、吸収層の圧搾部による凹凸が、粘着領域を部分的に押圧する。部分的に押圧された箇所の接合強度が高くなり、ヒップフラップと下着がずれにくくなり、ヒップフラップによって臀部を覆う状態を維持できる。
【００１８】
かかる吸収性物品であって、
各圧搾部は、前記吸収層の厚み方向に凹んでおり、
前記圧搾部の底部は、前記圧搾部の前後方向の中心に対して前後方向に偏倚することが望ましい。
【００１９】
このような吸収性物品によれば、圧搾部の前端縁又は後端縁が面状に当たり易くなり、肌への刺激を抑制できる。具体的には、圧搾部の底部が前側に偏倚している場合には、圧搾部の後端縁が面状で着用者に当たり易い。着用者が寝た状態で圧搾部の後端縁が当たりやすいため、寝た状態における肌への刺激を効果的に抑制できる。一方、圧搾部の底部が後側に偏倚している場合には、圧搾部の前端縁が面状で着用者に当たり易い。装着時や歩行時に圧搾部の前端縁が当たりやすいため、装着時や歩行時における肌への刺激を効果的に抑制できる。
【００２０】
かかる吸収性物品であって、
前記ヒップフラップは、前記吸収性物品の前後方向に沿う前後折り線を有し、
前記前後折り線は、前記圧搾部よりも幅方向の内側に位置することが望ましい。
【００２１】
このような吸収性物品によれば、圧搾部よりも幅方向の内側は、圧搾部が配置された領域と比較して剛性が低い。当該圧搾部よりも幅方向の内側に折り線が位置するため、圧搾部の有無による剛性差によって折り線を基点にヒップフラップを容易に折ることができる。
【００２２】
かかる吸収性物品であって、
前記吸収コアは、前記排泄口当接域と前記後側域との間において前記幅方向に延びる第１低目付領域と、前記後側域において前記幅方向の中心を結ぶ中心線に沿って前記前後方向に延びる第２低目付領域と、を有することが望ましい。
【００２３】
後側域に第２低目付領域が形成されているため、吸収性物品の外側から内側に向かう力により、幅方向における後側域の中心は、着用者の体に向けて突出し易い。これにより、後側域では、吸収性物品は、寝た姿勢において着用者の臀裂の形状に合わせて変形することができる。その結果、着用者は、臀部において吸収性物品との心地よいフィット感を得られる。
【００２４】
また、第１低目付領域によって、排泄口当接域における吸収体の変形が後側域における吸収体の変形に与える影響を抑制し、排泄口当接域と後側域とで吸収性物品が独立して変形し易くなっている。よって、吸収性物品の排泄口当接域Ｓ１を着用者の股下の形状に沿って配置し、かつ吸収性物品の後側域Ｓ３を着用者の臀部の形状に沿って配置して、着用者の臀部の丸みに沿って臀部を適切に覆うことができる。
【００２５】
かかる吸収性物品であって、
前記吸収性物品の幅方向に沿う幅折り線を有し、
前記吸収コアは、前記第２低目付領域から前記幅方向の外側に延び、前記排泄口当接域の前記吸収コアの目付よりも低い目付からなる第３低目付領域を有し、
前記幅折り線は、前記第３低目付領域と、前記ヒップフラップと、に跨って配置されることが望ましい。
【００２６】
このような吸収性物品によれば、比較的剛性が低い第３低目付領域内に幅折り線が配置されているため、吸収コアが配置された領域を幅折り線によって容易に折ることができる。また、ヒップフラップは、圧搾部が変形基点となり、幅折り線によって容易に折ることができる。比較的硬い圧搾部が折れ基点となり易いため、その周囲の比較的柔らかい部分に折り癖がつき難くなり、吸収コアのよれや意図しない変形を抑制できる。
【００２７】
かかる吸収性物品であって、
前記圧搾部と前記第３低目付領域は、前記幅方向において離間していることが望ましい。
【００２８】
このような吸収性物品によれば、ヒップフラップの圧搾部と第３低目付領域との間に、第３低目付領域よりも目付が高い吸収コアが配置される。そのため、体液が第３低目付領域から幅方向外側に流れても、比較的目付が高い吸収コアによって吸収でき、漏れを抑制できる。
【００２９】
かかる吸収性物品であって、前記圧搾部の後端縁は、前記第２低目付領域の後端縁よりも後方に位置することが望ましい。
【００３０】
このような吸収性物品によれば、圧搾部が配置された領域は、圧搾部によって剛性が高いため、よれ難く装着時に臀部に沿って配置され易い。当該圧搾部が第２低目付領域よりも後方に位置するため、着用者側に凸状に変形した領域の後方を体に沿わせて配置でき、後漏れを防止できる。
【００３１】
かかる吸収性物品であって、
前記非肌面シートには、前記吸収性物品を下着に止めるための粘着領域が設けられており、
前記粘着領域は、前記第１低目付領域よりも前方に位置する第１粘着領域と、前記第１低目付領域よりも後方に位置する第２粘着領域と、を有し、
前記第１粘着領域と前記第２粘着領域は、前記前後方向において離間することが望ましい。
【００３２】
このような吸収性物品によれば、第１粘着領域と第２粘着領域とが離間しているため、第１低目付領域よりも前方の領域と、第１低目付領域よりも後方の領域と、で別々の変形や動きを実現し易くなる。排泄口当接域と後側域とで、着用者の体の形状に合わせて異なる形状に、より容易に変形できる。そのため、着用者の臀部の丸みに沿って臀部をより適切に覆うことができる。
【００３３】
＝＝＝本実施の形態に係る吸収性物品について＝＝＝
以下、図面を参照して、実施形態に係る吸収性物品ついて説明する。吸収性物品は、パンティーライナー（おりものシート）や生理用ナプキンや失禁パッド等の任意の吸収性物品であってよい。以下の実施形態では、吸収性物品の一例として使い捨ての生理用ナプキンについて説明する。
【００３４】
なお、以下の図面の記載において、同一又は類似の部分には、同一又は類似の符号を付している。ただし、図面は模式的なものであり、各寸法の比率等は現実のものとは異なる場合があることに留意すべきである。したがって、具体的な寸法等は、以下の説明を参酌して判断すべきである。また、図面相互間においても互いの寸法の関係や比率が異なる部分が含まれ得る。
【００３５】
（１）吸収性物品の全体的構成
図１は、一実施形態における吸収性物品の平面図である。図２は、図１とは反対側から見た吸収性物品の平面図である。
【００３６】
吸収性物品１は、前後方向Ｌと幅方向Ｗと厚み方向Ｔとを有する。前後方向Ｌは、着用者の前側（腹側）から後側（背側）に延びる方向、又は着用者の後側から前側に延びる方向である。幅方向Ｗは、前後方向Ｌと直交する方向である。厚み方向Ｔは、着用者の肌面側Ｔ１から非肌面側Ｔ２へ延びる方向であり、前後方向Ｌ及び幅方向Ｗに直交する方向である。肌面側Ｔ１は、使用時に、着用者の肌に面する側に相当する。非肌面側Ｔ２は、使用時に、肌面側Ｔ１とは反対側、すなわち着用者の肌とは反対に向けられる側に相当する。
【００３７】
吸収性物品１は、排泄口当接域Ｓ１、前側域Ｓ２及び後側域Ｓ３を有する。排泄口当接域Ｓ１は、着用者の排泄口（例えば膣口）に対向する領域である。吸収性物品が下着に装着されたときに、排泄口当接域Ｓ１は、下着の股下部に位置する。つまり、排泄口当接域は、着用者の股下、すなわち着用者の両足の間に配置される領域である。
【００３８】
前側域Ｓ２は、排泄口当接域Ｓ１よりも前側に位置する。前側域Ｓ２の前端縁は吸収性物品１の前端縁９１を規定する。後側域Ｓ３は、排泄口当接域Ｓ１よりも後側に位置する。後側域Ｓ３の後端縁は吸収性物品１の後端縁９２を規定する。後側域Ｓ３の前後方向Ｌの長さは、排泄口当接域Ｓ１の前後方向Ｌの長さよりも長くなっていてよい。
【００３９】
排泄口当接域Ｓ１には、ウイング３と、ヒップフラップ４と、が設けられている。ヒップフラップは、排泄口当接域の吸収コアの外側縁よりも幅方向の外側に延出しており、幅方向Ｗの外側に膨らんでいる。ウイング３の前端縁は、ウイング３の付け根によって規定されており、最も幅方向Ｗの内側に窪んだ２つの部分のうち、前側に位置する部分に相当する。ウイング３の前端縁は、排泄口当接域Ｓ１と前側域Ｓ２との境界を規定していてもよい。ウイング３の後端縁は、ウイング３の付け根によって規定されており、最も幅方向Ｗの内側に窪んだ２つの部分のうち、後側に位置する部分に相当する。ウイング３の後端縁は、排泄口当接域Ｓ１と後側域Ｓ３との間に位置していてよい。
【００４０】
吸収性物品１は、肌面シート１０、非肌面シート２０及び吸収体３０を有する。肌面シート１０は、吸収体３０よりも肌面側Ｔ１に設けられる。非肌面シート２０は、吸収体３０よりも非肌面側Ｔ２に設けられる。吸収体３０は、肌面シート１０と非肌面シート２０との間に設けられる。
【００４１】
肌面シート１０は、表面シート１１及びサイドシート１２を有していてよい。表面シート１１は、体液等の液体を透過する液透過性のシートである。表面シート１１は、幅方向Ｗにおける吸収体３０の中央部を覆う。表面シート１１は、前後方向Ｌに前側域Ｓ２から後側域Ｓ３まで延びていてよい。
【００４２】
サイドシート１２は、幅方向Ｗにおける表面シート１１の外側縁を覆い、表面シート１１よりも幅方向Ｗの外側へ延びている。なお、本実施形態では、吸収性物品１はサイドシート１２を有しているが、吸収性物品１はサイドシート１２を有していなくてもよい。この場合、表面シート１１は吸収体３０全体を覆っていてよい。
【００４３】
サイドシート１２は、表面シート１１と同様の材料から構成することができる。サイドシート１２は、幅方向Ｗにおける吸収体３０の外側縁、ウイング３及びヒップフラップ４に配置されていてよい。非肌面シート２０は、液不透過性のシートである。
【００４４】
吸収体３０は、少なくとも排泄口当接域Ｓ１及び後側域Ｓ３に配置される。また、吸収体３０は、排泄口当接域Ｓ１から前側域Ｓ２まで延びていてもよい。吸収体３０は、液体を吸収する吸収材料を含む吸収コア３１と、吸収コア３１を包むコアラップ（図示せず）と、を有する。コアラップは、少なくとも吸収コア３１よりも肌面側で吸収コア３１を覆っていればよい。吸収コア３１を構成する吸収材料は、例えば、親水性繊維、パルプ及び高吸水性高分子（ＳＡＰ）から形成できる。コアラップは、例えば不織布やティッシュシートから構成することができる。
【００４５】
吸収体３０は、ヒップフラップに配置される吸収層３２を有する。本実施の形態の吸収層３２は、吸収コア３１と同様の材料によって構成され、吸収コア３１と一体成形されている。吸収コア３１と吸収層３２とがいった一体化されているため、吸収コア３１と吸収層３２との隙間が生じず、隙間から体液が漏れることを抑制できる。
【００４６】
吸収層３２の厚みは、後側域Ｓ３の吸収コア３１の厚みよりも薄くてよい。ヒップフラップの吸収層の厚みが比較的薄いことにより、ヒップフラップ４全体の剛性が高くなり過ぎることを抑制し、ヒップフラップ４による違和感を低減できる。また、他の実施形態として、吸収層３２の厚みは、後側域Ｓ３の吸収コア３１の厚みよりも厚くてもよい。吸収層３２の厚みが比較的厚いことにより、ヒップフラップのクッション性が高くなり、臀部をヒップフラップ４で柔らかく包み、装着性を向上できる。
【００４７】
ヒップフラップ４は、ウイング３よりも後側に位置し、後側域Ｓ３に設けられている。ウイング３は、サイドシート１２と非肌面シート２０との積層によって構成され、ヒップフラップ４は、サイドシート１２、吸収層３２、及び非肌面シート２０の積層によって構成されている。
【００４８】
ヒップフラップ４は、後述するヒップフラップ圧搾部８３を有し、幅方向に沿う力に対して変形し難く構成されている。具体的には、ヒップフラップ４に用いられる吸収層３２の座屈強度は、５Ｎ以上が好ましい。座屈強度が５Ｎ以上であることにより、ヒップフラップ４がヨレにくくなる。座屈強度については、後述にて詳細に説明する。
【００４９】
（２）吸収体の詳細構成
次に、吸収体３０の構成についてより具体的に説明する。吸収コア３１は、少なくとも排泄口当接域Ｓ１に、中高部３３を有する。中高部３３は、排泄口当接域Ｓ１から前側域Ｓ２へ延びていてもよい。中高部３３は、排泄口当接域Ｓ１において、中心線ＣＬを跨いで配置されている。中心線ＣＬは、吸収性物品の幅方向の中心を結ぶ線であり、前後方向に沿う線である。なお、本明細書において、前後方向に沿う状態とは、前後方向に対して平行な状態のみならず、前後方向に対して０〜５度程度傾斜する状態を含む意味であり、幅方向に沿う状態とは、幅方向に対して平行な状態のみならず、幅方向に対して０〜５度程度傾斜する状態を意味する。中高部３３は、吸収コアの外側縁の厚さよりも厚さが厚い領域を意味する。中高部３３の吸収材料の目付は、排泄口当接域Ｓ１内の中高部３３以外の領域における吸収コア３１の目付よりも高くてもよい。好ましくは、第１低目付領域４１よりも後側の吸収コア３１は、中高部３３の厚みよりも薄い。より好ましくは、後側域Ｓ３全体の吸収コア３１は、中高部３３の厚みよりも薄い。中高部３３の厚みが比較的厚いため、着用者の排泄口にフィットさせ易い。一方、後側域の吸収コアの厚みが比較的薄く、後側域の剛性が比較的低いため、着用者の臀部の丸みに沿って吸収コアが配置され易い。
【００５０】
吸収体３０は、第１低目付領域４１、第２低目付領域４２及び第３低目付領域４３を有する。ここで、「低目付領域」は、その周囲の吸収コア３１よりも低い目付を有する吸収コア３１からなる領域、又は吸収コア３１を有していない領域を意味する。このように、「低目付領域」は、吸収コア３１の目付が零である領域を含む概念である。着用者が寝た姿勢において、吸収性物品の後側域は着用者の臀部の真下、すなわち臀部と床との間に配置される。後側域に形成された第２低目付領域は、比較的剛性が低いため、着用者に与える違和感は小さい。また、第１低目付領域及び第２低目付領域により、吸収コアを構成する吸収材料は、排泄口当接域と、後側域の右側部分と、後側域の左側部分との間で移動し難くなる。これにより、着用中の動作により、吸収コアを構成する吸収材料が局所的に集中することを抑制することができる。その結果、吸収性物品の着用中に、着用者の違和感を緩和することができる。したがって、着用者は、特に寝た姿勢においても、違和感を覚え難い。
【００５１】
低目付領域４１〜４３における吸収コア３１の目付は、低目付領域４１〜４３のまわりの吸収コア（中高部を除く）の目付の６０％以下であることが好ましく、５０％以下であることがより好ましい。
【００５２】
吸収コア３１が「低目付領域」を有していない領域である場合でも、コアラップは、低目付領域を跨いで吸収コア３１全体を包む。この場合、吸収コア３１が複数の領域に分断されていたとしても、吸収体３０は、コアラップによって一体的に形成される。
【００５３】
第１低目付領域４１、第２低目付領域４２及び第３低目付領域４３は、吸収体３０の剛性が変化する境目となる。したがって、第１低目付領域４１、第２低目付領域４２及び第３低目付領域４３は、吸収体３０が変形し易い領域に相当する。
【００５４】
第１低目付領域４１は、排泄口当接域Ｓ１と後側域Ｓ３との間において幅方向Ｗに延びている。第１低目付領域によって、排泄口当接域における吸収体の変形が後側域における吸収体の変形に与える影響を抑制し、排泄口当接域と後側域とで吸収性物品が独立して変形し易くなっている。よって、吸収性物品の排泄口当接域Ｓ１を着用者の股下の形状に沿って配置し、かつ吸収性物品の後側域Ｓ３を着用者の臀部の形状に沿って配置して、着用者の臀部の丸みに沿って臀部を適切に覆うことができる。第１低目付領域４１は、前後方向Ｌにおけるウイング３の中心よりも後側かつ吸収体３０の後端縁よりも前側に設けられている。第１低目付領域４１は、前後方向Ｌにおいて、ウイング３の後端縁を跨ぐように設けられている。これにより、ウイングの基端部となるウイングの後端縁を前後方向に跨って第１低目付領域４１が配置されるため、着用者の脚からウイングに掛かる力を第１低目付領域で分断し、後側域に当該力が伝播することを抑制できる。
【００５５】
本実施形態では、第１低目付領域４１は、第１低目付領域４１の幅方向Ｗの中央が後方に突出した曲線形状である。より詳細には、第１低目付領域４１の幅方向Ｗの中心は、第１低目付領域４１の外側縁よりも後方に位置する。これにより、第１低目付領域は、仰向け時に下着と共に後方に向かって凸状に膨らみ、身体から離れる方向に押し出される。仰向け時には、着用者の臀部の膨らみが押し潰され、潰れた部分は、股下側に移動する。第１低目付領域が身体から離れることにより、仰向け時における臀部の変形を吸収できる。よって、第１低目付領域を挟んで配置された排泄口当接域及び後側域が身体の丸みに追従する形状に維持され、吸収性物品全体が身体の丸みに沿って配置される。
【００５６】
好ましくは、幅方向Ｗにおける第１低目付領域４１の長さは、２５ｍｍ以上である。これにより、排泄口当接域Ｓ１における吸収体３０の動きが、後側域Ｓ３に伝わることを抑制できる。第１低目付領域４１は、幅方向Ｗにおいて、吸収体３０の一端から他端まで延びている。これにより、排泄口当接域Ｓ１における吸収体３０の動きが、後側域Ｓ３に伝わることを効果的に抑制できる。第１低目付領域４１の外側縁は、吸収コア３１の外側縁よりも内側に位置してよい。これにより、第１低目付領域の両側に、吸収材料の目付が高い領域が配置されるため、体液の横漏れを抑制できる。第１低目付領域４１の前端縁が排泄口当接域Ｓ１の後端縁を規定していてもよく、第１低目付領域４１の後端縁が後側域Ｓ３の前端縁を規定していてもよい。
【００５７】
前後方向Ｌにおける第１低目付領域４１の長さは、吸収性物品１の中心線ＣＬの位置で、好ましくは１０ｍｍ以上かつ５０ｍｍ以下であり、より好ましくは１０ｍｍ以上かつ３０ｍｍ以下である。第１低目付領域の前後方向の長さが１０ｍｍ以上であるため、排泄口当接域の変形と後側域の変形とを効果的に分断できる。また、第１低目付領域の前後方向の長さが５０ｍｍ以下であるため、第１低目付領域によって身体の変形を吸収しつつ後側域によって臀部側に流れた体液を吸収できる。着用者は、臀部側に経血が流れる不安を感じ難く、装着時の安心感を得ることができる。
【００５８】
第２低目付領域４２は、後側域Ｓ３において、吸収性物品の中心線ＣＬに沿って前後方向Ｌに延びている。第２低目付領域４２は、前後方向Ｌに直線的に延びていてよい。後側域に第２低目付領域が形成されているため、吸収性物品の幅方向外側から幅方向内側に向かう力により、幅方向における後側域の中心は、着用者の体に向けて突出し易い。これにより、後側域では、吸収性物品は、寝た姿勢において着用者の臀裂の形状に合わせて変形することができる。その結果、着用者は、臀部において吸収性物品との心地よいフィット感を得られる。また、第２低目付領域４２は、第１低目付領域４１と繋がっていることが好ましい。これにより、第１低目付領域による幅方向に延びる変形基点と、第２低目付領域による前後方向に延びる変形基点と、が連動でき、より臀裂の深い位置に到達するように変形できる。また、身体の前後方向に沿って中高部と第２低目付領域による凸形状とが擬似的につながり、体液を吸収可能な領域が前後方向に連なる。よって、着用者の肌に付着した体液を迅速に吸収でき、体液が肌の表面を伝うことを抑制し、体液の漏れを低減できる。
【００５９】
第２低目付領域４２の後端縁は、吸収コアの後端縁よりも前側、かつ前後方向における後側域Ｓ３の中心よりも後側に位置する。着用者の体の前後方向Ｌに沿った断面において、臀部間の溝（臀裂）は、会陰部よりも後方から尾てい骨に至る領域に存在する。吸収性物品の使用中に、第２低目付領域４２は、着用者の臀裂の領域に配置される。第２低目付領域４２の両側には、吸収コアの目付が第２低目付領域４２よりも高く、クッション性が高い領域が配置される。第２低目付領域４２の両側が尾てい骨に対して柔らかく当たり、臀部を柔らかく覆うことができる。
【００６０】
第３低目付領域４３は、後側域Ｓ３において、第２低目付領域４２から幅方向Ｗの外側に延びている。第３低目付領域４３を有することにより、後側域の吸収コアに幅方向に延びる変形基点が形成される。吸収コアは、第３低目付領域を基点に変形できるため、吸収性物品が体の前後方向に沿った丸みに沿ってよりフィットし易くなる。第３低目付領域４３は、第２低目付領域４２に繋がっていてよい。これにより、第３低目付領域による幅方向に延びる変形基点と、第２低目付領域による前後方向に延びる変形基点と、が連動でき、より臀部の丸みにそって配置できる。
【００６１】
幅方向Ｗにおける第３低目付領域４３の外側縁は、後側域Ｓ３の吸収コア３１の外側縁よりも内側に位置する。第３低目付領域４３よりも幅方向外側に第３低目付領域よりも目付が高い吸収材料が配置され、当該吸収材料によって体液を吸収できるため、横漏れを防止できる。また、吸収コアの外側縁の目付が十分であることにより、漏れに対する着用者の不安感を払拭できる。第３低目付領域４３は、前後方向Ｌに間隔を空けて複数設けられている。よって、第３低目付領域４３による変形基点は、前後方向Ｌに間隔を空けて複数設けられ、吸収コアをより臀部の丸みに沿って配置できる。
【００６２】
（３）圧搾部
吸収性物品１は、少なくとも吸収コア３１が厚み方向Ｔに圧縮されることによって形成された圧搾部を有する。圧搾部が形成された領域は、圧搾部が形成されてない領域と比較して密度が高い。圧搾部は、第１サイド圧搾部８１と、第２サイド圧搾部８２と、ヒップフラップ圧搾部８３と、を有している（図１参照）。
【００６３】
第１サイド圧搾部８１は、少なくとも排泄口当接域Ｓ１に設けられている。第１サイド圧搾部８１は、表面シート１１と吸収体３０とが厚み方向Ｔに圧縮されることによって形成される。第１サイド圧搾部８１は、中高部３３を挟んで両側に配置され、前後方向Ｌに延びる。第１サイド圧搾部８１は、中高部３３の外側縁を規定する。第１サイド圧搾部８１は、吸収コア３１の前端縁付近で幅方向Ｗに向かって曲がっており、Ｕ字型に連続的に繋がっている。この代わりに、第１サイド圧搾部８１は、中高部３３の幅方向Ｗ両側に、別個に設けられていてもよい。これにより、吸収性物品に幅方向外側から幅方向内側に向かう力がかかった際に、第１サイド圧搾部８１を介して中高部に力が伝わり易くなり、中高部を膣口に対してフィットさせ易くなる。
【００６４】
第２サイド圧搾部８２は、後側域Ｓ３において、第２低目付領域４２を挟んで両側に設けられている。第２サイド圧搾部８２は、前後方向Ｌに沿って延びている。第２サイド圧搾部８２は、第２低目付領域４２と離間しており、第２低目付領域による凸状の変形を阻害しない。第１サイド圧搾部８１と第２サイド圧搾部８２は、前後方向において離間する。第１サイド圧搾部と第２サイド圧搾部の間には、第１低目付領域４１が配置される。第１サイド圧搾部と第２サイド圧搾部が前後方向に離れているため、排泄口当接域Ｓ１における吸収体の変形が、後側域における吸収体の変形に与える影響をより効果的に抑制できる。また、第２サイド圧搾部が第２低目付領域４２を挟んで両側に設けられているため、一対の第２サイド圧搾部の間に挟まれた第２低目付領域は、より着用者の体側に隆起し易くなる。吸収コアがより着用者の体になじみ、着用者に対して心地よいフィット感を与えることができる。
【００６５】
ヒップフラップ圧搾部８３は、ヒップフラップ４に形成される。ヒップフラップ圧搾部８３は、ヒップフラップを構成するサイドシート１２、吸収層３２、及び非肌面シート２０のうち、吸収層３２のみに設けられる。すなわち、ヒップフラップ圧搾部８３は、サイドシート１２及び非肌面シート２０に設けられていない。肌面シートは、圧搾部を有していないため、圧搾部によって硬くならず、表面の柔らかさを維持でき、着用者が心地よい肌触りを得ることができる。ヒップフラップは、吸収層によってクッション性を有し、臀部に対して柔らかく当たり装着感が向上する。また、吸収層によってヒップフラップの変形を吸収でき、ヒップフラップのよれを防止できる。
【００６６】
ヒップフラップ圧搾部８３は、吸収層３２の前後方向全域にわたって複数設けられている。ヒップフラップ圧搾部８３は、幅方向Ｗに対して平行に延び、前後方向Ｌに間隔を空けて配置される。ヒップフラップ圧搾部８３は、幅方向に延びるヒップフラップの変形基点を形成する。ヒップフラップ圧搾部８３が前後方向に間隔を空けて配置されているため、前後方向に間隔を空けて複数の変形基点が形成される。ヒップフラップ圧搾部８３は、幅方向に対して平行に延びるため、体の前後方向に延びる丸みに対してヒップフラップを配置する際に、前側に位置する曲げ基点と後側に位置する曲げ基点が緩衝せず、体の丸みを帯びた形状に沿ってヒップフラップを配置できる。また、ヒップフラップ圧搾部８３が幅方向に対して平行に延びるため、ヒップフラップは、幅方向に沿う力に対して変形しにくい。具体的には、着用者が横向きに寝た状態では、ヒップフラップの外側縁から幅方向内側に向かう力がかかるが、当該力に対してヒップフラップ圧搾部８３が対抗し、ヒップフラップが変形し難い。ヒップフラップの外側縁から幅方向の内側に向かう力がかかった際におけるヒップフラップのよれや折れを抑制でき、ヒップフラップによって着用者の臀部を覆い、後漏れを抑制できる。
【００６７】
ヒップフラップ圧搾部８３の前後方向の長さは、ヒップフラップの前後方向の間隔よりも短い。そのため、ヒップフラップにおいてヒップフラップ圧搾部が形成されていない領域は、ヒップフラップ圧搾部が配置された領域よりも広い。ヒップフラップ圧搾部が配置された領域が比較的狭いため、圧搾部によってヒップフラップ全体の剛性が高くなり過ぎることを抑制し、ヒップフラップ圧搾部による肌触りの低下を抑制できる。ヒップフラップ圧搾部の外側縁は、吸収層３２の外側縁である。ヒップフラップ圧搾部の内側縁は、後側域における吸収コア３１の外側縁よりも幅方向外側に位置する。後側域における吸収コア３１の外側縁とは、中央域における吸収コアの外側縁から後方に延びる仮想線上に位置する。後側域の吸収コア３１の吸収材料の目付と、吸収層３２の吸収材料の目付と、が異なる構成においては、比較的目付が高い後側域の吸収コア３１よりも幅方向外側にヒップフラップ圧搾部８３が設けられていてよい。ヒップフラップ圧搾部８３によって吸収コア３１に意図しない変形基点が形成されることを抑制し、後側域を着用者の臀部に対してフィットさせ続けることができる。
【００６８】
第３低目付領域４３とヒップフラップ圧搾部８３は、幅方向において離間している。よって、ヒップフラップ圧搾部と第３低目付領域との間に、第３低目付領域よりも目付が高い吸収コアが配置される。当該吸収コアによって体液を吸収できるため、横漏れを防止できる。
【００６９】
ヒップフラップ圧搾部８３の後端縁は、第２低目付領域４２の後端縁よりも後方に位置し、第３低目付領域４３の後端縁よりも後方に位置する。ヒップフラップ圧搾部８３が配置された領域は、ヒップフラップ圧搾部８３によって剛性が高いため、よれ難く装着時に臀部に沿って配置され易い。ヒップフラップ圧搾部８３が第２低目付領域よりも後方に位置するため、着用者側に凸状に変形した領域の後方を体に沿わせて配置でき、後漏れを防止できる。また、ヒップフラップ圧搾部８３が第３低目付領域よりも後方に位置するため、第３低目付領域による幅方向に沿った折れ基点の後方に、ヒップフラップ圧搾部８３による幅方向に沿った折れ基点を設け、後側域全体を臀部の丸みに沿って配置できる。
【００７０】
図３に示すように、各ヒップフラップ圧搾部８３は、吸収層３２の厚み方向に凹んでいる。具体的には、ヒップフラップ圧搾部８３は、吸収層３２の肌対向面側から非肌対向面側に凹む凹部と、吸収層３２の非肌対向面側から肌対向面側に凹む凹部と、が対向している。ヒップフラップ圧搾部８３の底部８３ａは、圧搾部の前後方向の中心に対して前後方向に偏倚している。すなわち、ヒップフラップ圧搾部８３の底部８３ａは、ヒップフラップ圧搾部の前後方向中心よりも前側又は後側に位置する。ヒップフラップ圧搾部８３の底部は、ヒップフラップ圧搾部８３のうち最も厚み方向内側に位置する部分である。ヒップフラップ圧搾部８３の前端縁又は後端縁が面状に当たり易くなり、肌への刺激を抑制できる。具体的には、ヒップフラップ圧搾部８３底部が前側に偏倚している場合には、ヒップフラップ圧搾部８３の後端縁が面状で着用者に当たり易い。着用者が寝た状態でヒップフラップ圧搾部８３の後端縁が当たりやすいため、寝た状態における肌触りが向上する。一方、ヒップフラップ圧搾部８３の底部が後側に偏倚している場合には、ヒップフラップ圧搾部８３の前端縁が面状で着用者に当たり易い。装着時や歩行時にヒップフラップ圧搾部８３の前端縁が当たりやすいため、装着時や歩行時における肌触りが向上する。
【００７１】
第１サイド圧搾部８１及び第２サイド圧搾部８２は、表面シート１１と吸収体３０とが肌対向面側から非肌対向面に圧縮されることによって形成されている。ヒップフラップ圧搾部８３は、吸収層３２が肌対向面側から非肌対向面に圧縮されることによって形成されている。
【００７２】
（４）粘着領域
図２に示すように、吸収性物品１は、吸収性物品１を下着Ｓに止めるための粘着剤が設けられた第１粘着領域としての第１本体粘着領域６１、第２粘着領域としての第２本体粘着領域６２、ウイング粘着領域６３及びヒップフラップ粘着領域６４を有する。これらの粘着領域６１〜６４は、非肌面シート２０の非肌面側に設けられている。
【００７３】
第１本体粘着領域６１は、第２本体粘着領域６２よりも前方に配置されている。第１本体粘着領域６１及び第２本体粘着領域６２は、前後方向Ｌに延びている。第１本体粘着領域６１は、第２本体粘着領域６２から前後方向Ｌに離間して配置されている。第１本体粘着領域６１は、第１低目付領域４１よりも前側に位置する。第２本体粘着領域６２は、第１低目付領域４１よりも後側に位置する。第１粘着領域と第２粘着領域とが離間していることにより、第１低目付領域よりも前方の領域と、第１低目付領域よりも後方の領域と、で別々の変形や動きを実現し易くなる。排泄口当接域と後側域とで、着用者の体の形状に合わせて異なる形状に、より容易に変形できる。ウイング粘着領域６３はウイング３に設けられている。ヒップフラップ粘着領域６４はヒップフラップ４に設けられている。ヒップフラップ粘着領域６４は、ヒップフラップ圧搾部８３と重なる領域に配置される。ヒップフラップ圧搾部８３と重なる領域に配置され、非肌面シートにヒップフラップ圧搾部８３が設けられていないため、ヒップフラップ粘着領域６４に厚み方向における段差が形成されにくい。よって、粘着領域全面が下着に接合し易くなる。また、下着に粘着領域が接合した状態で、着用者の体圧がヒップフラップにかかると、吸収層の圧搾部による凹凸が、粘着領域を部分的に押圧する。部分的に押圧された箇所の接合強度が高くなり、ヒップフラップと下着がずれにくくなり、ヒップフラップによって臀部を覆う状態を維持できる。
【００７４】
第１低目付領域４１は、厚み方向Ｔにおいて、粘着領域６１〜６４と重ならない領域に配置されていることが好ましい。より具体的には、第１低目付領域４１は、第１本体粘着領域６１と第２本体粘着領域６２との間の領域に設けられている。第２低目付領域４２は、厚み方向Ｔにおいて、粘着領域６１〜６４と重ならない領域に配置されていることが好ましい。より具体的には、第２低目付領域４２は、複数の第２本体粘着領域６２どうしの間に設けられている。これにより、第１低目付領域４１及び第２低目付領域４２がより変形基点として機能し得るようになる。つまり、第１低目付領域４１及び第２低目付領域４２を挟んで隣り合う吸収コア３１が互いに独立に動きやすくなる。これにより、吸収体３０が着用者の股下及び臀部の形状に合わせてよりフィットし易くなる。したがって、より着用者の体になじみ、着用者に対してより心地よいフィット感を与えることができる吸収性物品を提供することができる。
【００７５】
第２サイド圧搾部８２は、第２本体粘着領域６２と重なる領域に設けられていることが好ましい。第２サイド圧搾部８２が設けられた領域が下着に止着される。これにより、吸収コア３１が第２サイド圧搾部８２を基点に変形する際に、下着によって第２サイド圧搾部８２を支持できる。変形の基点となる第２サイド圧搾部８２が支持されるため、第２サイド圧搾部８２間の領域が突出した状態を維持し易くなる。
【００７６】
（５）着用中の吸収性物品
次に、図４及び図５を参照し、着用中の吸収性物品の形状について説明する。図４は、使用中の吸収性物品の、図１の６Ａ−６Ａ線に沿った模式的断面図である。図５は、使用中の吸収性物品の、図１の７Ａ−７Ａ線に沿った模式的断面図である。なお、図５及び６では、着用者の体の形状を示すラインを二点鎖線で示している。
【００７７】
生理用ナプキンとしての吸収性物品１を着用する際、吸収性物品１は下着Ｓに固定される。吸収性物品１の排泄口当接域Ｓ１は、着用者の両足によって挟まれ、幅方向Ｗの外側から幅方向Ｗの内側に向かう力を受ける。
【００７８】
吸収性物品１の幅方向Ｗに沿った着用者の体の断面形状は、股下近傍と臀部近傍とで異なる。具体的には、着用者の股下の陰裂(経血が出る膣口あたり)近辺の体の断面形状は、大陰唇が大陰唇の付け根よりも出っ張っており、吸収性物品１側に突出する凸形状である。この着用者の股下域に、吸収性物品の排泄口当接域Ｓ１が対向して配置される。着用者の股下においては、排泄口当接域Ｓ１の吸収コア３１、特に中高部３３が体に沿って配置され、股下における体液の漏れを抑制できる（図４参照）。
【００７９】
着用者の大陰唇より後方に位置する会陰部よりも後方には、肛門や臀裂が位置する。この会陰部よりも後方近辺の体の断面形状は、幅方向の中心が窪んだ形状である。この着用者の臀部に、吸収性物品の後側域Ｓ３が対向して配置される。
【００８０】
後側域Ｓ３では、中心線ＣＬに沿って前後方向Ｌに延びる第２低目付領域４２が形成されている。そのため、吸収性物品の外側から内側に向かう力により、幅方向Ｗにおける後側域Ｓ３の中心は、着用者の体に向けて突出し易い（図５参照）。これにより、後側域Ｓ３では、吸収性物品１は、着用者の臀裂の形状に合わせて変形することができる。その結果、着用者は、臀部においても、吸収性物品１との心地よいフィット感を得られる。
【００８１】
ここで、吸収性物品１は、排泄口当接域Ｓ１と後側域Ｓ３とで、着用者の体の形状に合わせて異なる形状に変化しようとする。第１低目付領域４１は、排泄口当接域Ｓ１における吸収体３０の変形が、後側域Ｓ３における吸収体３０の変形に与える影響を抑制している。すなわち、第１低目付領域４１によって、排泄口当接域Ｓ１と後側域Ｓ３とで、吸収性物品が独立して変形し易くなっている。
【００８２】
（６）吸収性物品の折り畳み
吸収性物品１は、折り畳まれた状態で個別に包装されていてもよい。以下、図１，２，６，７を参照し、吸収性物品１の折り畳みについて説明する。図６は、図１の前後折り線ＦＬに沿って折り畳まれた吸収性物品１の平面図である。図７は、図１の幅折り線Ｆ１〜Ｆ３に沿って折り畳まれた吸収性物品の模式的側面図である。
【００８３】
吸収性物品１は、前後方向Ｌに沿って延びる前後折り線ＦＬと、幅方向Ｗに沿う第１幅折り線Ｆ１、第２幅折り線Ｆ２及び第３幅折り線Ｆ３と、を有していてよい。これらの折り線ＦＬ，Ｆ１，Ｆ２，Ｆ３は、吸収性物品１を折り畳むためのラインである。
【００８４】
前後折り線ＦＬは、ヒップフラップ圧搾部８３よりも幅方向の内側、かつ排泄口当接域の吸収コア３１の外側端よりも外側に位置する。ヒップフラップ圧搾部８３よりも幅方向の内側は、ヒップフラップ圧搾部８３が配置された領域と比較して剛性が低い。前後折り線ＦＬがヒップフラップ圧搾部８３よりも幅方向の内側に位置するため、ヒップフラップ圧搾部８３の有無による剛性差によって折り線を基点にヒップフラップを容易に折ることができる。また、前後折り線ＦＬが排泄口当接域の吸収コア３１の外側端よりも外側に位置するため、排泄口当接域の吸収コア３１に折り癖が形成されず、排泄口当接域の吸収コアが意図しない変形をしたり、よれたりすることを抑制できる。
【００８５】
第１幅折り線Ｆ１及び第２幅折り線Ｆ２は、ヒップフラップに配置される。ヒップフラップは、ヒップフラップ圧搾部８３が変形基点となり、第１幅折り線Ｆ１及び第２幅折り線Ｆ２によって容易に折ることができる。比較的硬いヒップフラップ圧搾部８３が折れ基点となり易いため、その周囲の比較的柔らかい部分に折り癖がつき難くなり、吸収コアのよれや意図しない変形を抑制できる。第１幅折り線Ｆ１は、第２幅折り線Ｆ２よりも後側に設けられている。第１幅折り線Ｆ１は、ヒップフラップ４の最大幅Ｐ１よりも後側の領域に設けられていてよい。また、第１幅折り線Ｆ１は、第３低目付領域４３内に配置されている。第１幅折り線Ｆ１は、第３低目付領域４３と、ヒップフラップ４と、に跨って設けられる。比較的剛性が低い第３低目付領域内に幅折り線が配置されているため、吸収コアが配置された領域を幅折り線によって容易に折ることができる。
【００８６】
また、幅折り線Ｆ１〜Ｆ３は、ヒップフラップ粘着領域６４と重ならない領域に配置される。ヒップフラップ粘着領域に折り癖が形成されず、粘着領域全面を下着に当接し易くなる。
【００８７】
第２幅折り線Ｆ２は、前後方向Ｌにおいて、第１幅折り線Ｆ１と第３幅折り線Ｆ３との間に設けられている。第２幅折り線Ｆ２は、第１低目付領域４１よりも後側の領域を通っている。そのため、第１低目付領域４１には、折り線による折り癖が形成されず、第１低目付領域が柔軟に変形し易く、第１低目付領域による吸収コアの変形を分断する効果を発揮し易くなる。第２幅折り線Ｆ２は、一対の第２サイド圧搾部８２よりも前側に配置されている。第３幅折り線Ｆ３は、第２幅折り線Ｆ２よりも前側に設けられている。第３幅折り線Ｆ３は、前側域Ｓ２に設けられている。
【００８８】
吸収性物品１は、非肌面側が外側に露出するように、前後折り線ＦＬを基点に内側に折り畳まれる（図６参照）。図６に示す状態から、吸収性物品１は、第１幅折り線Ｆ１、第２幅折り線Ｆ２及び第３幅折り線Ｆ３の順で折り畳まれる（図７参照）。このように折り畳まれることにより、第２幅折り線と第３幅折り線がヒップフラップに設けられるため、第２幅折り線と第３幅折り線に隣接して圧搾部が位置する。よって、第２幅折り線及び第３幅折り線が安定する。折り線が安定しているため、折り畳まれた吸収性物品を陳列や収納する際に並べ易くなる。
【００８９】
吸収性物品１が折り畳まれた状態において、吸収性物品の後端縁９２は、吸収性物品の内部に位置する。吸収性物品１が折り畳まれた状態において、吸収性物品の前端縁９１は、吸収性物品の外側に位置する。また、第１幅折り線Ｆ１は、折り畳まれた吸収性物品１の内部に位置する。第２幅折り線Ｆ２及び第３幅折り線Ｆ３は、折り畳まれた吸収性物品１の外側に位置する。
【００９０】
（７）吸収層の座屈強度
次いで、吸収層３２の座屈強度について説明する。実施例１〜３に係る吸収性物品と、比較例１〜４に係る吸収性物品と、を用いて吸収層の座屈強度の試験及び吸収層の変形し難さの評価を行った。試験は、以下の方法で行った。
【００９１】
座屈強度の測定は、２０℃、６５％ＲＨ下において、１日以上放置したサンプル用いて、この温度及び湿度条件下にて行う。詳細には、吸収層を縦１５０ｍｍ×横３０ｍｍで切り出し、これを試料とする。この試料の長手方向端を重合部の幅が５ｍｍとなるように重ね合わせ、輪状とした後、上下各１ｃｍの部分をステープラーで針の長さ方向が圧縮方向と直角の方向となるように２箇所固定し、リング状のサンプルを得る。固定間の距離は、３３ｍｍである。得られたリング状のサンプルをテンシロン試験機〔商品名「ＲＴＭ−２５」東洋ボールドウィン（株）製〕の試料台に試料の長手方向を下面にして設置する。設置後、圧縮試験モードにて測定速度１０ｍｍ／ｍｉｎで試料を圧縮し、座屈した時の最大強度を求める。別に作成した３つのサンプルについて同様に測定を行い、平均を求めて、座屈強度とする。ヒップフラップを構成するサンプルを用意し、AUTOGRAPHを用いて行った。サンプルの幅方向（長手方向と直交する方向）において間隔を空けてサンプルを掴み、当該掴んだ間の領域を圧縮した。
【００９２】
また、各サンプルを含む吸収性物品を試験者に夜間装着してもらい、装着した後の吸収層の変形状態を目視にて評価した。吸収層が折れ曲がって、重なっていたり、吸収層が１／３以上よれたりしているものについて、よれ難さを×と判定し、吸収層の重なりがなく、吸収層のよれが１／３未満のものについて、よれ難さを○と判定した。
【００９３】
各サンプルは、吸収層の目付、ヒップフラップ圧搾部が延びる方向、ヒップフラップ圧搾部の間隔、が異なる。ヒップフラップ圧搾部８３の幅方向、長手方向及び斜め方向は、サンプルの長手方向に対して直交する方向に延びるものが幅方向、サンプルの長手方向と平行に延びるものが長手方向している。各サンプルにおいて、ヒップフラップ圧搾部の線種及び間隔が異なっている。ヒップフラップ圧搾部の間隔が狭いサンプルは、サイドフラップが連続する線状であり、線の幅が０．５ｍｍであり、ヒップフラップ圧搾部同士の間隔は、３ｍｍである。ヒップフラップ圧搾部の間隔が広いサンプルは、サイドフラップが連続する線状であり、線の幅が０．５ｍｍであり、ヒップフラップ圧搾部同士の間隔は、４ｍｍである。ヒップフラップ圧搾部がドットのサンプルは、複数のドットによって構成されており、各ドットの長さが１ｍｍであり、４ｍｍ間隔で設けられている。
【００９４】
表１に、試験結果を示す。
【００９５】
【表１】
0006453207.tif 000002
【００９６】
比較例１〜４に係るサンプルは、ヒップフラップ圧搾部が長手方向に対して平行に延びている。各サンプルは、座屈せずに、長手方向に延びるヒップフラップ圧搾部を曲げ基点として折れ曲がった。比較例１〜４に係るサンプルは、幅方向に沿う力に対して変形し易く、ヒップフラップの外側縁から幅方向の内側に向かう力がかかった際におけるヒップフラップのよれや折れを抑制する効果を得られないことがわかった。実施例１〜３に係るサンプルは、ヒップフラップ圧搾部が幅方向に対して平行に延びている。実施例１〜３は、幅方向に沿う力に対して変形し難く、ヒップフラップのよれや折れを抑制する効果を得られることがわかった。この評価結果から吸収層の座屈強度は、５Ｎ以上が好適であることがわかった。
【００９７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【００９８】
１        ：吸収性物品
１０      ：肌面シート
２０      ：非肌面シート
３１      ：吸収コア
３２      ：吸収層
３３      ：中高部
４１      ：第１低目付領域（第１粘着領域）
４２      ：第２低目付領域（第２粘着領域）
４３      ：第３低目付領域
６１      ：第１本体粘着領域
６２      ：第２本体粘着領域
６４      ：ヒップフラップ粘着領域
８１      ：第１サイド圧搾部
８２      ：第１サイド圧搾部
８３      ：ヒップフラップ圧搾部（圧搾部）
Ｌ        ：前後方向
Ｗ        ：幅方向
Ｔ        ：厚み方向
Ｓ１      ：排泄口当接域
Ｓ２      ：前側域
Ｓ３      ：後側域
ＣＬ      ：中心線
ＦＬ      ：前後折り線
Ｆ１、Ｆ２、Ｆ３      ：幅折り線
【図１】
0006453207.tif 000003
【図２】
0006453207.tif 000004
【図３】
0006453207.tif 000005
【図４】
0006453207.tif 000006
【図５】
0006453207.tif 000007
【図６】
0006453207.tif 000008
【図７】
0006453207.tif 000009